(57)【要約】【課題】ディスクカートリッジにおいてディスクドライブへの着脱信頼性を高める。【解決手段】下シェル４が、中心孔４ａの縁部をハウジング内に折り曲げて形成された略円筒状の軸支部４Ｌを備え、下シャッタ部材７Ｄが、軸支部４Ｌの外周に回転自在に嵌合する円筒状の軸筒部７ＤＬを有する。【選択図】  図４
2004348866.tif 000002
【特許請求の範囲】
【請求項１】
上シェルと下シェルの間にロータリシャッターを回転自在に扁平なハウジング内に、中心部がセンターコアに固定されたディスク状の情報記録媒体を回転自在に収容してなるディスクカートリッジであって、前記ハウジングが、前記下シェルに形成された前記センターコアを外部に臨ませるための中心孔と、ディスクドライブが備えている記録再生ヘッドを前記情報記録媒体の表面にアクセスさせるための前記ロータリシャッターにより開閉される開口部とを備え、前記ロータリシャッターが、前記上シェルに回転可能に保持された上シャッタ部材と、前記下シェルに回転可能に保持された下シャッタ部材とを有するディスクカートリッジにおいて、
前記下シェルが、前記中心孔の縁部を前記ハウジング内に折り曲げて形成された略円筒状の軸支部を備え、
前記下シャッタ部材が、該軸支部の外周に回転自在に嵌合する円筒状の軸筒部を有するものであることを特徴とするディスクカートリッジ。
【請求項２】
前記軸筒部の下端縁が、断面略円弧状に形成されているものであることを特徴とする請求項１に記載のディスクカートリッジ。
【請求項３】
前記軸支部における前記軸筒部の内周面に接する部分の高さが、前記軸筒部の高さより小さくなっていることを特徴とする請求項１または２に記載のディスクカートリッジ。
【請求項４】
前記軸支部の折り曲げ部分が、断面略円弧状に形成されていることを特徴とする請求項１から３のいずれか１項に記載のディスクカートリッジ。
【請求項５】
前記軸筒部と前記軸支部との間にテフロン（登録商標）膜が設けられていることを特徴とする請求項１から４のいずれか１項に記載のディスクカートリッジ。
【発明の属する技術分野】
本発明は、ディスク状の情報記録媒体を回転可能に収容するディスクカートリッジに関するものであり、特に下シェルと下シャッタ部材との摺動部分の構造に関するものである。
【発明の詳細な説明】
【０００１】
【従来の技術】
従来、デジタルカメラ等のモバイル機器においては、記録媒体としてたとえば「ｃｌｉｋ！（登録商標）」や「Ｐｏｃｋｅｔ  Ｚｉｐ（登録商標）」と呼ばれる超小型の磁気ディスクカートリッジが使用されている（たとえば特許文献１、２参照。）。ここで、図７は従来の「ｃｌｉｋ！（登録商標）」と呼ばれる超小型の磁気ディスクカートリッジの一例を示す。図７のディスクカートリッジ１は、たとえば幅５０ｍｍ、奥行き５５ｍｍ、厚さ１．９５ｍｍの扁平な金属薄板からなる上下シェル３、４を備えたハウジング内に、４０ＭＢの記憶容量を有する直径約１．８インチ（４６．５ｍｍ）の磁気ディスクからなる情報記録媒体５を回転自在に収容したものである。
【０００２】
この上シェル３と下シェル４には、ディスクドライブの記録再生ヘッドが情報記録媒体５にアクセスするための図示しない開口部６が設けられており、下シェル４の中心部には、情報記録媒体５の中心に設けられたセンターコア１０を外部に臨ませるための中心孔４ａが形成されている。また、上下シェル３、４内には開口部を開閉するためのロータリシャッター７が設けられている。
【０００３】
ロータリシャッター７は、上シャッタ部材７Ｕと下シャッタ部材７Ｄとからなり、上シャッタ部材７Ｕと下シャッタ部材７Ｄとは側面において係合されている。この上シャッタ部材７Ｕの情報記録媒体５に対向する対向面には、情報記録媒体５の表面に付着した汚れを払拭するための上ライナ８Ｕが貼り付けられている。同様に、下シャッタ部材７Ｄの情報記録媒体５に対向する対向面には下ライナ８Ｄが貼り付けられている。
【０００４】
上シャッタ部材７Ｕは上シェル３に形成された円筒体３ａによって回転可能に軸支されている。また、円筒体３ａの先端には上シャッタ部材７Ｕの円筒体からの抜出しを防止するためのセンタピンと呼ばれる抜止め部材９が溶接により固定されおり、この抜け止め部材９により上シャッタ部材７Ｕは下シェル３に対して保持されている。
【０００５】
一方、下シャッタ部材７Ｄには中心孔４ａの周囲に下方に向かって突出した軸筒部１１が設けられており、軸筒部１１が中心孔４ａに挿入されることにより回転可能に軸支されている。また、軸筒部１１の先端にカシメ加工が施されることにより抜け止め用のカシメ部１２が形成されており、カシメ部１２により下シャッタ部材７Ｄが下シェル４に対して保持されている。
【０００６】
【特許文献１】
米国特許第６１３３５４４号明細書
【０００７】
【特許文献２】
米国特許第５９９５３４６号明細書
【０００８】
【発明が解決しようとする課題】
ところで、ディスクカートリッジ１がディスクドライブに装填される際、ディスクドライブに内蔵されているセンターコア保持部分等のディスクカートリッジ１の収容部内において突出した形状を有する部材と摺動しながら挿入されていく。特に、上述した「Ｐｏｃｋｅｔ  Ｚｉｐ（登録商標）」のような小型のディスクカートリッジに対応したディスクドライブは薄いカード型であるため、ディスクカートリッジがディスクドライブに挿入されるときのクリアランスは非常に小さくディスクドライブの回転駆動部等に当たりながら挿入せざるを得ない。
【０００９】
このため、ディスクカートリッジ１の下シェル４側の外面は平坦に形成されていることが好ましく、上述した下シャッタ部材７Ｄのカシメ部１２は、下シェル４に形成された凹部内に収容されるようにするとともに、製造時にそのカシメ部の角度管理や下シェル４の凹部の寸法管理等することにより、カシメ部１２が下シェル４の外面に対して突出しないようにしている。
【００１０】
しかし、カシメ部１２が下シェル４の外面に対して設けられている以上、図５（ｂ）のようにカシメ部１２が下シェル４の外面から突出する危険性を有している。カシメ部１２が開いて下シェル４の外面から突出してしまうと、ディスクドライブへの挿入時にカシメ部１２がディスクドライブの構成部材に引っ掛かってしまい、ディスクカートリッジ１がディスクドライブに対して着脱できなくなってしまう原因になる。
【００１１】
そこで、本発明は、ディスクドライブへの着脱信頼性を高めることができるディスクカートリッジを提供することを目的とするものである。
【００１２】
【課題を解決するための手段】
本発明のディスクカートリッジは、上シェルと下シェルの間にロータリシャッターを回転自在に扁平なハウジング内に、中心部がセンターコアに固定されたディスク状の情報記録媒体を回転自在に収容してなるディスクカートリッジであって、ハウジングが、下シェルに形成されたセンターコアを外部に臨ませるための中心孔と、ディスクドライブが備えている記録再生ヘッドを情報記録媒体の表面にアクセスさせるためのロータリシャッターにより開閉される開口部とを備え、ロータリシャッターが、上シェルに回転可能に保持された上シャッタ部材と、下シェルに回転可能に保持された下シャッタ部材とを有するディスクカートリッジにおいて、下シェルが、中心孔の縁部をハウジング内に折り曲げて形成された略円筒状の軸支部を備え、下シャッタ部材が、軸支部の外周に回転自在に嵌合する円筒状の軸筒部を有するものであることを特徴とするものである。
【００１３】
ここで、「軸支部の外周」とは円筒状の軸支部における外径の大きい側の周面をいう。
【００１４】
なお、軸筒部は、軸支部の外周に回転自在に嵌合するものであればよく、下シャッタ部材が軸筒部の下端縁において下シェルに回転可能に保持されているものであってもよい。このとき、軸筒部の下端縁は断面略円弧状に形成されているものであることが好ましい。
【００１５】
また、軸支部における軸筒部の内周面に接する部分の高さは、軸筒部の高さより小さいものであってもよい。
【００１６】
さらに、軸支部の折り曲げ部分は、断面略円弧状に形成されていてもよい。
【００１７】
また、軸筒部と軸支部との間にテフロン（登録商標）膜が設けられていてもよく、このテフロン（登録商標）膜は軸筒部側に設けられていてもよいし、軸支部側に設けられていてもよい。
【００１８】
【発明の効果】
本発明のディスクカートリッジによれば、下シェルが、中心孔の縁部をハウジング内に折り曲げて形成された略円筒状の軸支部を備え、下シャッタ部材が、軸支部の外周に回転自在に嵌合する円筒状の軸筒部を有するものであることにより、下シェルの外面にカシメ部が設けられることなく、下シェルが下シャッタ部材を回転可能に保持することができるため、ディスクカートリッジがディスクドライブに挿入時にディスクドライブの構成部材に引っ掛かることによるディスクカートリッジの変形を防止してディスクカートリッジの信頼性を向上させることができるとともに、ディスクカートリッジのディスクドライブに対する着脱信頼性を向上させることができる。
【００１９】
なお、軸筒部の下端縁が、断面略円弧状に形成されているように構成すれば、軸支部と軸筒部との摺動抵抗を小さくすることができるため、ロータリシャッターの開閉動作の信頼性をより高めることができる。
【００２０】
また、軸支部における軸筒部の内周面に接する部分の高さが、軸筒部の高さより小さいものであれば、軸支部の先端がハウジングに収容された情報記録媒体に接触するのを防止することができる。
【００２１】
さらに、軸支部の折り曲げ部分が、断面略円弧状に形成されているものであれば、ディスクカートリッジがディスクドライブに挿入される際、軸支部の折り曲げ部分がディスクドライブ内の部材に引っ掛かるのを防止することができるため、ディスクカートリッジのディスクドライブに対する着脱信頼性をより高めることができる。
【００２２】
また、軸筒部と軸支部との間にテフロン（登録商標）膜が設けられた構成にすれば、軸筒部と軸支部との間の摺動抵抗を小さくすることができるため、ロータリシャッターの開閉動作の信頼性を高めることができる。
【００２３】
【発明の実施の形態】
以下、本発明のディスクカートリッジの実施の形態について、図面を参照して詳細に説明する。なお、図１（ａ）、（ｂ）、（ｃ）にそのロータリシャッター７が閉状態にある平面図、側面図および底面図を、図２（ａ）、（ｂ）にロータリシャッター７が開状態にある平面図および底面図をそれぞれ示している。
【００２４】
このディスクカートリッジ１は、押込み部２ａを含む樹脂製の通常スタビライザと呼ばれるフレーム２と、金属薄板からなる上下シェル３、４とによって構成された、幅５０ｍｍ、奥行き５５ｍｍ、厚さ１．９５ｍｍの扁平なハウジング内に、４０ＭＢの記憶容量を有する直径約１．８インチ（４６．５ｍｍ）のディスク状の情報記録媒体５を回転自在に収容したものである。この情報記録媒体５は、フレキシブルな円盤状の情報記録媒体５と、情報記録媒体５の中心に設けられたセンターコア１０とを備えている。
【００２５】
また、ハウジングは、ディスクドライブの磁気ヘッドを情報記録媒体５の表面にアクセスさせるためのＶ字状の開口部６と、この開口部６を開閉するためのロータリシャッター７とを備えている。そして、ディスクドライブが情報記録媒体５に対して情報の記録再生を行うときには、ロータリシャッター７が開き、開口部６から磁気ヘッドが挿入されるようになっている。一方、ディスクドライブから取り出されたときに開口部６から埃等が入り込まないようにするため、ロータリシャッター７が閉じて開口部６を塞ぐようになっている。
【００２６】
さらに、ハウジングの下シェル４には、情報記録媒体５のセンターコア１０を外部に臨ませる円形の中心孔４ａと、ロータリシャッター７と同心的な円弧状溝４ｂとが形成され、下シャッタ部材７Ｄには、上記円弧状溝４ｂから突出し、かつこの円弧状溝４ｂに沿って移動してロータリシャッター７を開閉するシャッタノブ７ｂが固設されている。そして、ディスクカートリッジ１がディスクドライブに装填されたときに、ディスクドライブの回転駆動源が中心孔４ａから露出したセンターコア１０を保持し、情報記録媒体５を回転駆動させるようになっている。
【００２７】
図３は図１のディスクカートリッジ１の断面図を示している。図３のロータリシャッタ７は互いに係合された上下のシャッタ部材７Ｕ、７Ｄからなり、上下シャッタ部材７Ｕ、７Ｄと情報記録媒体５との間にはそれぞれ上下ライナ８Ｕ、８Ｄが介挿されている。
【００２８】
ここで、上シャッタ部材７Ｕは、上シェル３に設けられた円筒体３ａが挿入されることにより軸支されており、円筒体３ａの先端に設けられた上シャッタ部材７Ｕの抜出しを防止するためのセンタピンと呼ばれる抜止め部材９が溶接により保持されている。これにより、上シャッタ部材７Ｕは上シェル３に対して回転可能に保持された状態になっている。一方、下シャッタ部材７Ｄは、軸筒部７ＤＬを下シェル４の軸支部４Ｌに嵌合することにより回転可能に保持されている。
【００２９】
図４は図１のディスクカートリッジの中心孔の周辺部位を示す断面図である。図４において、下シェル４は、中心孔４ａの縁部をハウジング内に折り曲げて形成された略円筒状の軸支部４Ｌを備えており、下シャッタ部材７Ｄは、軸支部４Ｌの外周４Ｌａに回転自在に嵌合する円筒状の軸筒部７ＤＬを有している。この軸支部４Ｌと軸筒部７ＤＬにより、下シャッタ部材７Ｄは下シェル４に対して回転がガイドされるようになっている。
【００３０】
ここで、軸支部４Ｌは、たとえばバーリング加工等により形成されるものであって、折り曲げ部分が略円弧状になるように形成されている。これにより、ディスクカートリッジ１がディスクドライブに挿入された際に、折り曲げ部分がディスクドライブ内の部材に当たっても引っ掛かることがなくなるため、ディスクカートリッジ１の着脱信頼性を高めることができる。
【００３１】
また、軸支部４Ｌと軸筒部７ＤＬとの間にはテフロン（登録商標）膜４Ｔが設けられており、軸支部４Ｌと軸筒部７ＤＬとの摺動抵抗を低減させてロータリシャッター７の開閉動作の信頼性を高めるようになっている。なお、テフロン（登録商標）膜は、軸支部４Ｌ側に設けられていてもよいし、軸筒部７ＤＬ側に設けられていてもよい。
【００３２】
さらに、軸筒部７ＤＬの下端縁７ＤＴは下シェル４の内側に当たっており、この下端縁７ＤＴにおいて下シャッタ部材７Ｄが下シェル４に対して保持されている。ここで、軸筒部７ＤＬの下端縁７ＤＴは、折り曲げられることにより断面略円弧状に形成されている。これにより、下シャッタ部材７Ｄが下シェル４に対して回転する際、軸筒部７ＤＬの下端縁７ＤＴが下シェル４に摺動したときの摺動抵抗を小さくすることができる。
【００３３】
また、軸支部４Ｌは、軸支部４Ｌにおける軸筒部７ＤＬの内周面に接する部分の高さＤ１が、軸筒部７ＤＬの高さＤ２より小さくなるように形成されている。これにより、軸支部４Ｌの先端がハウジング内に収容された情報記録媒体５に接触するのを防止することができるため、情報記録媒体５に傷が付くのを防止することができる。
【００３４】
本発明の実施の形態によれば、図４に示すように、下シェル４が、中心孔の縁部をハウジング内に折り曲げて形成された略円筒状の軸支部４Ｌを備え、下シャッタ部材７Ｄが、軸支部４Ｌの外周に回転自在に嵌合する円筒状の軸筒部７ＤＬを有するものであることにより、下シェル４の外面にカシメ部が形成されることなく、下シェル４が下シャッタ部材７Ｄを回転可能に保持することができるため、ディスクカートリッジ１がディスクドライブに挿入時にディスクドライブの構成部材に引っ掛かることがなくなり、ディスクカートリッジ１のディスクドライブに対する着脱信頼性を向上させることができる。
【００３５】
また、軸筒部７ＤＬの下端縁７ＤＴが、断面略円弧状に形成されているように構成すれば、軸支部４Ｌと軸筒部７ＤＬとの摺動抵抗を小さくすることができるため、ロータリシャッター７の開閉動作の信頼性をより高めることができる。
【００３６】
さらに、軸支部４Ｌにおける軸筒部７ＤＬの内周面に接する部分の高さが、軸筒部の高さより小さいものであれば、軸支部４Ｌの先端がハウジングに収容された情報記録媒体５に接触するのを防止することができる。
【００３７】
また、軸支部４Ｌの折り曲げ部分が、断面略円弧状に形成されているものであれば、ディスクカートリッジ１がディスクドライブに挿入される際、軸支部４Ｌの折り曲げ部分がディスクドライブ内の部材に引っ掛かるのを防止することができるため、ディスクカートリッジ１の挿入時の信頼性をより高めることができる。
【００３８】
さらに、軸支部４Ｌと軸筒部７ＤＬの間にテフロン（登録商標）膜４Ｔが設けられた構成にすれば、軸支部４Ｌと軸筒部７ＤＬとの間の摺動抵抗を小さくすることができるため、ロータリシャッター７の開閉動作の信頼性を高めることができる。
【００３９】
本発明の実施の形態は、上記実施の形態に限定されない。たとえば、図４において、軸筒部の下端縁７ＤＬは、折り曲げることにより略円弧状に形成されているが、研削もしくは研磨等により略円弧状に形成するようにしてもよい。
【図面の簡単な説明】
【図１】本発明のディスクカートリッジの好ましい実施の形態におけるロータリシャッタが閉状態にある状態を示す平面図および底面図
【図２】本発明のディスクカートリッジの好ましい実施の形態におけるロータリシャッタが開状態にある状態を示す平面図および底面図
【図３】本発明のディスクカートリッジの好ましい実施の形態を示す断面図
【図４】本発明のディスクカートリッジにおける中心孔周辺部位を示す断面図
【図５】従来のディスクカートリッジの一例を示す模式図
【符号の説明】
１      ディスクカートリッジ
３      上シェル
４      下シェル
４ａ    中心孔
４Ｌａ  外周
４Ｌ    軸支部
５      情報記録媒体
６      開口部
７      ロータリシャッター
７Ｕ    上シャッタ部材
７Ｄ    下シャッタ部材
７ＤＴ  下端縁
７ＤＬ  軸筒部
１０    センターコア
【図１】
2004348866.tif 000003
【図２】
2004348866.tif 000004
【図３】
2004348866.tif 000005
【図４】
2004348866.tif 000006
【図５】
2004348866.tif 000007